(57)【要約】【課題】治具への取り付け、および、取り外しが容易に行えるとともに、簡易な構造でコネクタ端子用接触バネをバネ片およびその周辺のグリス塗布領域に干渉しないように保持することができるグリス塗布用接触バネ保持治具を提供すること。【解決手段】複数のバネ片６１が端部を構成する連結部分６２によって隣り合うバネ片６１との間に隙間を形成しつつ並んで配置されるように連結されたコネクタ端子用接触バネ６０が連結部分６２を下方にして載置されるバネ載置部１０と、バネ載置部１０に立設され、コネクタ端子用接触バネ６０をバネ載置部１０へ載置することによって、隣り合うバネ片６１の間の隙間６４、あるいは、連結部分６２の隙間６３に配置され、コネクタ端子用接触バネ６０のバネ載置部１０上での位置を規制するバネ位置規制壁３０と、を有する。【選択図】図３
2018192425.tif 000002
【特許請求の範囲】
【請求項１】
複数のバネ片が端部を構成する連結部分によって隣り合う前記バネ片との間に隙間を形成しつつ並んで配置されるように連結されたコネクタ端子用接触バネが前記連結部分を下方にして載置されるバネ載置部と、
前記バネ載置部に立設され、前記コネクタ端子用接触バネを前記バネ載置部へ載置することによって、隣り合う前記バネ片の間の前記隙間、あるいは、前記連結部分の隙間に配置され、前記コネクタ端子用接触バネの前記バネ載置部上での位置を規制するバネ位置規制壁と、
を有することを特徴とするグリス塗布用接触バネ保持治具。
【請求項２】
前記バネ位置規制壁は、
前記バネ載置部に立設され、前記連結部分の内側と外側に沿って配置された壁であり、前記コネクタ端子用接触バネを前記バネ載置部へ載置することによって、前記連結部分を間に挟持するように配置されて前記コネクタ端子用接触バネの前記バネ載置部上での位置を規制する内側壁および外側壁を
を有することを特徴とする請求項１に記載のグリス塗布用接触バネ保持治具。
【発明の詳細な説明】
【技術分野】
【０００１】
本発明は、コネクタ端子用接触バネをグリス塗布のために保持するグリス塗布用接触バネ保持治具に関する。
【背景技術】
【０００２】
従来、複数のバネ片が端部を構成する連結部分によって隣り合うバネ片との間に隙間を形成しつつ並んで配置されるように連結されたコネクタ端子用接触バネ（例えば、特許文献１参照）は、接点となる各バネ片の表裏およびその周辺部分に電気的な抵抗の上昇を抑えるためグリスが塗布される。
【先行技術文献】
【特許文献】
【０００３】
【特許文献１】特開２０１３−１８７１７０号公報
【発明の概要】
【発明が解決しようとする課題】
【０００４】
しかしながら、治具を用いてコネクタ端子用接触バネを保持した状態でスプレーによるグリス塗布を行う場合、コネクタ端子用接触バネを保持するため、バネ片およびその周辺のグリス塗布領域以外を治具に固定すると、治具へのコネクタ端子用接触バネの取り付け、あるいは、治具からのコネクタ端子用接触バネの取り外し作業が煩雑になってしまうという問題があった。また、グリス塗布領域に干渉しないようにコネクタ端子用接触バネを治具によって保持するためには、治具の構造が複雑になってしまうという問題があった。
【０００５】
本発明は、上記に鑑みてなされたものであって、治具への取り付け、および、取り外しが容易に行えるとともに、簡易な構造でコネクタ端子用接触バネをバネ片およびその周辺のグリス塗布領域に干渉しないように保持することができるグリス塗布用接触バネ保持治具を提供することを目的とする。
【課題を解決するための手段】
【０００６】
上述した課題を解決し、目的を達成するために、本発明の請求項１に係るグリス塗布用接触バネ保持治具は、複数のバネ片が端部を構成する連結部分によって隣り合う前記バネ片との間に隙間を形成しつつ並んで配置されるように連結されているコネクタ端子用接触バネが前記連結部分を下方にして載置されるバネ載置部と、前記バネ載置部に立設され、前記コネクタ端子用接触バネを前記バネ載置部へ載置することによって、隣り合う前記バネ片の間の前記隙間、あるいは、前記連結部分の隙間に配置され、前記コネクタ端子用接触バネの前記バネ載置部上での位置を規制するバネ位置規制壁と、を有することを特徴とする。
【０００７】
また、本発明の請求項２に係るグリス塗布用接触バネ保持治具は、上記の発明において、前記バネ位置規制壁が、前記バネ載置部に立設され、前記連結部分の内側と外側に沿って配置された壁であり、前記コネクタ端子用接触バネを前記バネ載置部へ載置することによって、前記連結部分を間に挟持するように配置されて前記コネクタ端子用接触バネの前記バネ載置部上での位置を規制する内側壁および外側壁をさらに有することを特徴とする。
【発明の効果】
【０００８】
本発明の請求項１に係るグリス塗布用接触バネ保持治具は、前記コネクタ端子用接触バネを前記バネ載置部へ載置することによって、前記バネ位置規制壁が、隣り合う前記バネ片の間の前記隙間、あるいは、前記連結部分の隙間に配置され、前記コネクタ端子用接触バネを固定することなく前記バネ載置部上での位置を規制するようになっており、しかも、前記バネ位置規制壁が、前記バネ載置部に立設された壁という簡易な構成であるため、治具への取り付け、および、取り外しが容易に行えるとともに、簡易な構造でコネクタ端子用接触バネをバネ片およびその周辺のグリス塗布領域に干渉しないように保持することができる。
【０００９】
本発明の請求項２に係るグリス塗布用接触バネ保持治具は、前記バネ位置規制壁が前記内側壁および前記外側壁によって前記バネ片の幅方向での前記コネクタ端子用接触バネの前記バネ載置部上の位置を規制するようになっているので、前記バネ載置部上での前記コネクタ端子用接触バネの保持性能をさらに向上させることができる。
【図面の簡単な説明】
【００１０】
【図１】図１は、本発明の実施例に係るグリス塗布用接触バネ保持治具が組み込まれた可動テーブルおよびグリス塗布用スプレーの斜視図である。
【図２】図２は、（ａ）がコネクタ端子用接触バネが組み込まれたコネクタの斜視図であり、（ｂ）が（ａ）に示したコネクタの正面図である。
【図３】図３は、グリス塗布用接触バネ保持治具にコネクタ端子用接触バネをセットした状態を示した斜視図である。
【図４】図４は、（ａ）がグリス塗布用接触バネ保持治具にコネクタ端子用接触バネをセットした状態を上面側から視た図であり、（ｂ）が側面側から視た図である。
【図５】図５は、（ａ）がグリス塗布用接触バネ保持治具を第二バネ位置規制壁側から視た図であり、（ｂ）がグリス塗布用接触バネ保持治具を第一バネ位置規制壁側から視た図である。
【図６】図６は、（ａ）がコネクタ端子用接触バネの斜視図であり、（ｂ）が（ａ）に示したコネクタ端子用接触バネにグリスが塗布された状態を示した図である。
【図７】図７は、コネクタ端子用接触バネをグリス塗布用接触バネ保持治具に取り付ける手順を示した図である。
【図８】図８は、変形例のグリス塗布用接触バネ保持治具にコネクタ端子用接触バネをセットした状態を示した斜視図である。
【発明を実施するための形態】
【００１１】
以下、図面を参照して、本発明に係るグリス塗布用接触バネ保持治具の好適な実施例を詳細に説明する。
【実施例】
【００１２】
図１は、本発明の実施例に係るグリス塗布用接触バネ保持治具１が組み込まれた可動テーブル１１０およびグリス塗布用スプレーＳの斜視図である。図２は、（ａ）がコネクタ端子用接触バネ６０が組み込まれたコネクタＣの斜視図であり、（ｂ）が（ａ）に示したコネクタＣの正面図である。図３は、グリス塗布用接触バネ保持治具１にコネクタ端子用接触バネ６０をセットした状態を示した斜視図である。図４は、（ａ）がグリス塗布用接触バネ保持治具１にコネクタ端子用接触バネ６０をセットした状態を上面側から視た図であり、（ｂ）が側面側から視た図である。図５は、（ａ）がグリス塗布用接触バネ保持治具１を第二バネ位置規制壁側４０から視た図であり、（ｂ）がグリス塗布用接触バネ保持治具１を第一バネ位置規制壁３０側から視た図である。図６は、（ａ）がコネクタ端子用接触バネ６０の斜視図であり、（ｂ）が（ａ）に示したコネクタ端子用接触バネ６０にグリスＧが塗布された状態を示した図である。
本発明の実施例に係るグリス塗布用接触バネ保持治具１は、グリス塗布装置１００に組み込まれている。より具体的には、グリス塗布用接触バネ保持治具１は、グリス塗布用スプレーＳに対してグリス塗布用接触バネ保持治具１によって保持されたコネクタ端子用接触バネ６０の相対位置を変化させる可動テーブル１１０に組み込まれている。
【００１３】
以下、グリス塗布用接触バネ保持治具１が組み込まれたグリス塗布装置１００の説明をする。
グリス塗布装置１００は、コネクタ端子用接触バネ６０のバネ片６１およびその周辺のグリス塗布領域にグリス塗布用スプレーＳによってグリスＧを自動で塗布するものである。
【００１４】
この実施例でグリスＧが塗布されるコネクタ端子用接触バネ６０は、図６に示すように、４つのバネ片６１が端部を構成する連結部分６２によって隙間６３を形成しつつ並んで配置されている。
なお、コネクタ端子用接触バネ６０は、４つのバネ片６１を有するものを例示したが、バネ片６１の数はこれに限らず、複数であればよい。
【００１５】
コネクタ端子用接触バネ６０は、連結部分６２が円弧状に形成されており、連結部分６２の両端面６２ａの間に隙間６３が形成されている。
このコネクタ端子用接触バネ６０は、図２に示すように、コネクタＣの端子として組み込まれることによって、不図示の相手端子との接触面積を大きくする機能をなしている。
【００１６】
また、コネクタ端子用接触バネ６０は、電気的な抵抗の上昇を抑えるため、図２（ｂ）に示すように、各バネ片６１の表裏およびその周辺にグリス塗布装置１００によってグリスＧが塗布される。
【００１７】
グリス塗布装置１００は、図１に示すように、所定の位置に固定されたグリス塗布用スプレーＳと、グリス塗布用スプレーＳに対してコネクタ端子用接触バネ６０の相対位置を変化させる可動テーブル１１０と、可動テーブル１１０を不図示の制御部からの制御信号に基づいて駆動する不図示の駆動部と、を有する。
【００１８】
グリス塗布用スプレーＳは、一般的に用いられるものであり、ウレアグリス等の電気的な抵抗の上昇を抑えるグリスをスプレーによって塗布するものである。
【００１９】
可動テーブル１１０は、ガイド枠部１２０と、可動基台部１３０と、グリス塗布用接触バネ保持治具１と、を有する。
ガイド枠部１２０は、可動基台部１３０を図１中矢印ＸＹ方向にスライド移動できるようにガイドする部分である。
このガイド枠部１２０は、不図示の駆動部によって、図１中矢印Ｚ方向に可動できるようになっている。
【００２０】
可動基台部１３０は、ガイド枠部１２０によってガイドされることによってＸＹ方向に移動できるようになっている。
この可動基台部１３０は、グリス塗布用接触バネ保持治具１を図１中矢印Ｒ方向に回転可能に組み込まれる治具配置部１３１が設けられている。
【００２１】
治具配置部１３１は、グリス塗布用接触バネ保持治具１の底部が嵌め込まれるように円形状に凹んだガイド溝部１３１ａを有する。
グリス塗布用接触バネ保持治具１は、ガイド溝部１３１ａに嵌め込まれることによって、可動基台部１３０上で矢印Ｒ方向に回転できるようになっている。
【００２２】
グリス塗布用接触バネ保持治具１は、コネクタ端子用接触バネ６０が連結部分６２を下方にして載置されるバネ載置部１０と、コネクタ端子用接触バネ６０のバネ載置部１０上での位置を規制するバネ位置規制壁２０と、を有する。
【００２３】
バネ載置部１０は、グリス塗布用接触バネ保持治具１を載置するための面が設けられた部分ある。
このバネ載置部１０は、外郭がコネクタ端子用接触バネ６０に対応して円弧状に形成されている。
【００２４】
バネ位置規制壁２０は、連結部分６２の隙間６３に配置される第一バネ位置規制壁３０と、連結部分６２の内側に設けた一対の内側壁４１と連結部分６２の外側に設けた外側壁４２とで、連結部分６２を間に挟む第二バネ位置規制壁４０と、を有する。
【００２５】
第一バネ位置規制壁３０は、バネ載置部１０に立設され、図４（ａ）に示すように、連結部分６２の隙間を形成する連結部分６２の両端面６２ａ、６２ａに近接配置される一対のバネ位置規制面３０ａ、３０ａが形成されている。
【００２６】
この第一バネ位置規制壁３０は、バネ片６１が配置されない連結部分６２の隙間６３に配置されている。
このような第一バネ位置規制壁３０は、バネ片６１およびその周辺のグリス塗布領域に干渉しないように４つのバネ片６１の並び方向でコネクタ端子用接触バネ６０が移動されることを阻止するようになっている。
【００２７】
この第一バネ位置規制壁３０は、バネ載置部１０のコネクタ端子用接触バネ６０が載置される面に対して略垂直に立設されている。
このため、コネクタ端子用接触バネ６０をバネ載置部１０にセットする際、コネクタ端子用接触バネ６０をバネ載置部１０の上方からバネ載置部１０に移動すると、連結部分６２の隙間６３に第一バネ位置規制壁３０が配置されるようになっている。
【００２８】
第二バネ位置規制壁４０は、バネ片６１が大きく間隔をあけて配置される連結部分６２の領域に配置された一対の内側壁４１、４１と、外側壁４２とによって連結部分６２が挟持するようになっている。
より具体的には、第二バネ位置規制壁４０は、一対の内側壁４１、４１がバネ載置部１０に載置された連結部分６２の内側に沿って間隔をあけて配置され、外側壁４２が一対の内側壁４１、４１のほぼ中央位置に配置されている。
【００２９】
この第二バネ位置規制壁４０を構成する一対の内側壁４１、４１および外側壁４２は、バネ載置部１０のコネクタ端子用接触バネ６０が載置される面に対して略垂直に立設されている。
このため、コネクタ端子用接触バネ６０をバネ載置部１０にセットする際、コネクタ端子用接触バネ６０をバネ載置部１０の上方からバネ載置部１０まで移動すると、第二バネ位置規制壁４０が連結部分６２を挟持するように配置されるようになっている。
【００３０】
このような第二バネ位置規制壁４０は、バネ片６１およびその周辺のグリス塗布領域に干渉しないようにバネ片６１の幅方向でコネクタ端子用接触バネ６０が移動されることを阻止するようになっている。
【００３１】
次に、図７を用いてコネクタ端子用接触バネ６０をグリス塗布用接触バネ保持治具１に取り付ける手順について説明する。
図７は、コネクタ端子用接触バネ６０をグリス塗布用接触バネ保持治具１に取り付ける手順を示した図である。
【００３２】
グリス塗布用接触バネ保持治具１にコネクタ端子用接触バネ６０を取付ける場合、作業者は、図７（ａ）に示すように、コネクタ端子用接触バネ６０をバネ載置部１０の上方からバネ載置部１０に向けて移動させる。
【００３３】
作業者は、連結部分６２の隙間６３に第一バネ位置規制壁３０が入り込むように位置を調整しながらコネクタ端子用接触バネ６０をバネ載置部１０に載置することによって、コネクタ端子用接触バネ６０をグリス塗布用接触バネ保持治具１に取り付け完了する（図７（ｂ）参照）。
【００３４】
なお、作業者は、コネクタ端子用接触バネ６０をバネ載置部１０から上方に持ち上げるだけで、グリス塗布用接触バネ保持治具１からコネクタ端子用接触バネ６０を取り外すことができる。
【００３５】
グリス塗布装置１００は、図１に示すように、ガイド枠部１２０を矢印Ｚ方向に移動し、あるいは、可動基台部１３０を矢印ＸＹ方向にスライド移動し、さらには、グリス塗布用接触バネ保持治具１を矢印Ｒ方向に回転させることによって、所定位置に固定されたグリス塗布用スプレーＳに対してコネクタ端子用接触バネ６０の相対位置を多様に変化させることができる。
しかも、グリス塗布用接触バネ保持治具１がバネ片６１およびその周辺のグリス塗布領域に干渉しないようにコネクタ端子用接触バネ６０を保持しているので、バネ片６１の表裏、バネ片６１周辺のグリス塗布領域にグリスＧをばらつきを抑えて塗布することができる。
【００３６】
なお、この実施例では、グリス塗布装置１００は、グリス塗布用スプレーＳを固定し、コネクタ端子用接触バネ６０が保持される可動テーブル１１０を動かすものを例示したが、これに限らず、グリス塗布用スプレーＳを動かすようにしても構わない。
【００３７】
本発明の実施例に係るグリス塗布用接触バネ保持治具１は、コネクタ端子用接触バネ６０をバネ載置部１０へ載置することによって、第一バネ位置規制壁３０が、連結部分６２の隙間６３に配置され、コネクタ端子用接触バネ６０を固定することなくバネ載置部１０上での位置を規制するようになっており、しかも、第一バネ位置規制壁３０が、バネ載置部１０に立設された壁という簡易な構成であるため、治具への取り付け、および、取り外しが容易に行えるとともに、簡易な構造でコネクタ端子用接触バネ６０をバネ片６１およびその周辺のグリス塗布領域に干渉しないように保持することができる。
【００３８】
また、本発明の実施例に係るグリス塗布用接触バネ保持治具１は、第二バネ位置規制壁４０が内側壁４１および外側壁４２によってバネ片６１の幅方向でのコネクタ端子用接触バネ６０のバネ載置部１０上の位置を規制するようになっているので、バネ載置部１０上でのコネクタ端子用接触バネ６０の保持性能をさらに向上させることができる。
（変形例）
【００３９】
次に、図８を用いて、本発明の実施例に係るグリス塗布用接触バネ保持治具１の変形例について説明する。
図８は、変形例のグリス塗布用接触バネ保持治具１にコネクタ端子用接触バネ６０をセットした状態を示した斜視図である。
この変形例のグリス塗布用接触バネ保持治具２は、第一バネ位置規制壁５０が隣り合うバネ片６１の間の隙間６４に配置される点で、実施例のグリス塗布用接触バネ保持治具１と異なる。
なお、その他の構成は実施例と同様であり、実施例と同一構成部分には同一符号を付しその説明を省略している。
【００４０】
第一バネ位置規制壁５０は、バネ載置部１０に立設され、隣り合うバネ片６１の隙間６４を形成する隣り合うバネ片６１の対向する側面６１ａに近接配置される一対のバネ位置規制面５１ａ、５１ａが形成された突出壁部５１を有する。
【００４１】
このような第一バネ位置規制壁５０は、バネ片６１およびその周辺のグリス塗布領域に干渉しないように４つのバネ片６１の並び方向でコネクタ端子用接触バネ６０が移動されることを阻止するようになっている。
【００４２】
グリス塗布用接触バネ保持治具１にコネクタ端子用接触バネ６０を取付ける場合、作業者は、コネクタ端子用接触バネ６０をバネ載置部１０の上方からバネ載置部１０に向けて移動させる。
なお、第一バネ位置規制壁５０の突出壁部５１の位置を第二バネ位置規制壁４０の一対の内側壁４１，４１および外側壁４２の上面より高く設定しておくと、突出壁部５１を隣り合うバネ片６１の隙間６４に配置した状態で連結部分６２を一対の内側壁４１，４１と外側壁４２との間に配置させることができる。
【００４３】
この変形例のグリス塗布用接触バネ保持治具２は、コネクタ端子用接触バネ６０をバネ載置部１０へ載置することによって、第一バネ位置規制壁５０が、隣り合うバネ片６１の間の隙間６４に配置され、コネクタ端子用接触バネ６０を固定することなくバネ載置部１０上での位置を規制するようになっており、しかも、第一バネ位置規制壁５０が、バネ載置部１０に立設された壁という簡易な構成であるため、実施例のグリス塗布用接触バネ保持治具１と同様に、治具への取り付け、および、取り外しが容易に行えるとともに、簡易な構造でコネクタ端子用接触バネ６０をバネ片６１およびその周辺のグリス塗布領域に干渉しないように保持することができる。
【００４４】
なお、本発明の実施例に係るグリス塗布用接触バネ保持治具１は、グリス塗布装置１００に組み込まれるものを例示したが、これに限らず、スプレーを用いた手作業によるグリス塗布作業に用いてもよい。
【００４５】
また、本発明の実施例に係るグリス塗布用接触バネ保持治具１は、第二バネ位置規制壁４０が一対の内側壁４１，４１と外側壁４２とを有するものを例示したが、これに限らず、少なくとも一つずつの内側壁と外側壁とによって連結部分６２を挟持するようになっていればよい。
【００４６】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４７】
１、２        グリス塗布用接触バネ保持治具
１０          バネ載置部
２０          バネ位置規制壁
３０、５０    第一バネ位置規制壁（バネ位置規制壁）
３０ａ、５１ａ  バネ位置規制面
５１          突出壁部
４０          第二バネ位置規制壁（バネ位置規制壁）
４１          内側壁
４２          外側壁
６０          コネクタ端子用接触バネ
６１          バネ片
６１ａ        側面
６２          連結部分
６２ａ        端面
６３、６４    隙間
１００        グリス塗布装置
１１０        可動テーブル
１２０        ガイド枠部
１３０        可動基台部
１３１        治具配置部
１３１ａ      ガイド溝部
Ｃ            コネクタ
Ｇ            グリス
Ｓ            グリス塗布用スプレー
【図１】
2018192425.tif 000003
【図２】
2018192425.tif 000004
【図３】
2018192425.tif 000005
【図４】
2018192425.tif 000006
【図５】
2018192425.tif 000007
【図６】
2018192425.tif 000008
【図７】
2018192425.tif 000009
【図８】
2018192425.tif 000010